(57)【特許請求の範囲】
【請求項１】
各種音声を出力するスピーカーと、
該スピーカーに接続されたアンプ回路と、
前記スピーカーを保護するスピーカー保護手段とを備えた遊技機であって、
前記スピーカー保護手段に、
前記アンプ回路から出力されたスピーカー信号の異常を検知した場合、前記スピーカー信号の異常を示す異常検知信号を出力部から出力する異常検知回路と、
前記異常検知信号が入力されると、前記スピーカーへの前記スピーカー信号を停止する保護動作を行うための保護信号を出力する保護信号出力回路と、
前記保護信号の出力を契機として保護動作を行う保護動作回路とを備え、
前記保護信号出力回路は、
制御端子への電圧の印加によってスイッチ動作可能な電圧駆動型トランジスタである保護信号出力用トランジスタと、
前記異常検知回路の出力部に一端を接続し、前記保護信号出力用トランジスタの制御端子に他端を接続した第１の抵抗器と、
前記第１の抵抗器の他端と前記保護信号出力用トランジスタの制御端子との間に設けた接続点に一端を接続し、グランドに他端を接続した第２の抵抗器と、
前記第２の抵抗器に対して並列接続されたコンデンサと、を備え、
前記保護信号出力用トランジスタのスイッチ動作により前記保護信号を出力することを特徴とした遊技機。
【請求項２】
前記スピーカー保護手段は、
前記保護動作回路が前記保護動作を行っている状態を維持するラッチ回路を備え、
前記ラッチ回路は、複数のトランジスタで構成され、
前記トランジスタのうち少なくとも１つは、電圧駆動型トランジスタとした
請求項１に記載の遊技機。
【請求項３】
前記保護動作は、
前記アンプ回路への電力の供給を遮断することであり、
前記保護動作回路は、
電源ラインと前記アンプ回路との間にドレイン・ソース間が配置され、ゲート・ソース間の電圧が上昇するとドレイン・ソース間を導通状態にする保護動作用電界効果トランジスタと、
前記保護動作用電界効果トランジスタのゲート・ソース間に接続された抵抗器および該抵抗器に対して並列接続されたコンデンサから成るＲＣ回路であって、前記保護動作用電界効果トランジスタのゲート・ソース間の電圧が上昇する際に過渡現象を生じる電圧調整用ＲＣ回路と、を備えた
ことを特徴とする請求項１ないし２のいずれか１項に記載の遊技機。
【発明の詳細な説明】
【技術分野】
【０００１】
この発明は、例えば各種演出や異常を音声で報知するスピーカーを保護するスピーカー保護回路を有するような遊技機に関する。
【背景技術】
【０００２】
遊技者が遊技媒体を投入して遊技を楽しむ遊技機として、遊技者の操作を契機に複数の図柄が描かれたリールを回転させるとともに、適宜のタイミングで停止させた際の図柄によって、遊技者が利益を獲得する回胴式遊技機（以下、スロットマシンと呼ぶ）がある。
【０００３】
このようなスロットマシンには、遊技の進行に応じた各種演出を音声で報知するスピーカーを備えている。このスピーカーは、各種演出の報知だけでなく、悪意を持った遊技者による不正な行為を検知した場合、スロットマシンの異常を音声で報知する手段としての機能も兼ね備えている。
【０００４】
そこで、スロットマシンは、意図しない過大電流や過大電圧が加わることで、スピーカーに不具合が生じて異常の報知ができなくなることを防止するため、スピーカーを保護するスピーカー保護手段を備えている。
【０００５】
例えば、特許文献１に記載のスピーカー保護回路は、スピーカーと接続されたＢＴＬ電力増幅器に直流異常電圧が入力された場合、ＢＴＬ電力増幅器に接続されたスイッチ素子であるＮＰＮトランジスタを切替えて、ＢＴＬ電力増幅器からスピーカーへの出力を遮断することで、スピーカーを保護している。
【０００６】
ところで、悪意を持った遊技者が獲得するメダルの割合を向上するような不正な行為として、例えば、スロットマシンを誤動作させるような電波、あるいは記憶された情報を書き換えるような電波を、スロットマシンに照射する行為がある。  
このような電波が照射されると、特許文献１に記載のスピーカー保護回路では、照射された電波によって生じた渦電流が流れることで、ＮＰＮトランジスタが意図せずスイッチ動作して、スピーカーへの出力を遮断するおそれがあった。
【０００７】
このため、特許文献１のようなスピーカー保護回路を備えたスロットマシンでは、意図しない電波が照射されると、スピーカー保護回路が誤動作して、例えば電波による不正な行為を検知しても、これを音声で報知することができないという問題があった。
【先行技術文献】
【特許文献】
【０００８】
【特許文献１】特開２０００−１５２３６７号公報
【発明の概要】
【発明が解決しようとする課題】
【０００９】
本発明は、上述の問題に鑑み、不正に照射された電波によるスピーカー保護手段の誤動作を防止することができる遊技機を提供することを目的とする。
【課題を解決するための手段】
【００１０】
この発明は、各種音声を出力するスピーカーと、該スピーカーに接続されたアンプ回路と、スピーカーを保護するスピーカー保護手段とを備えた遊技機であって、スピーカー保護手段に、アンプ回路から出力されたスピーカー信号の異常を検知した場合、スピーカー信号の異常を示す異常検知信号を出力部から出力する異常検知回路と、異常検知信号が入力されると、スピーカーへのスピーカー信号を停止する保護動作を行うための保護信号を出力する保護信号出力回路と、保護信号の出力を契機として保護動作を行う保護動作回路とを備え、保護信号出力回路は、制御端子への電圧の印加によってスイッチ動作可能な電圧駆動型トランジスタである保護信号出力用トランジスタと、異常検知回路の出力部に一端を接続し、保護信号出力用トランジスタの制御端子に他端を接続した第１の抵抗器と、第１の抵抗器の他端と保護信号出力用トランジスタの制御端子との間に設けた接続点に一端を接続し、グランドに他端を接続した第２の抵抗器と、第２の抵抗器に対して並列接続されたコンデンサと、を備え、保護信号出力用トランジスタのスイッチ動作により保護信号を出力することを特徴とする。
【００１１】
上記各種音声は、遊技の進行に応じた演出に関する音声、遊技の進行に関する異常を示す音声、不正な行為の検知を示す音声などとすることができる。  
上記電圧駆動型トランジスタは、電圧の印加によってスイッチ動作可能なトランジスタであって、例えば、電界効果トランジスタなどとすることができる。
【００１２】
この発明により、不正に照射された電波によるスピーカー保護手段の誤動作を防止することができる。  
具体的には、電流が流れることでスイッチ動作するバイポーラトランジスタのような電流駆動型トランジスタに比べて、電圧駆動型トランジスタは、電圧の印加によってスイッチ動作するため、意図しない電流が流れることでスイッチ動作をすることがない。
【００１３】
そこで、電圧駆動型トランジスタのスイッチ動作により保護信号が出力されるように保護信号出力回路を構成したことにより、スピーカー保護手段は、意図しない電流が電圧駆動型トランジスタに流れた場合であっても、スピーカーへのスピーカー信号を停止することがない。これにより、例えば、遊技機を誤動作させるような電波、あるいは記憶された情報を書き換えるような電波が照射された場合であっても、遊技機は、スピーカーへのスピーカー信号が停止されることを防止できる。
【００１４】
さらに、例えば、不正に照射された電波を検知すると報知する機能を有する場合、遊技機は、スピーカー保護手段の誤動作を防止するとともに、不正に照射された電波の検知を音声によって確実に報知することができる。  
従って、遊技機は、スピーカー保護手段の保護信号出力回路を電圧駆動型トランジスタで構成したことにより、不正に照射された電波によるスピーカー保護手段の誤動作を防止することができる。
【００１５】
この発明の態様として、前記スピーカー保護手段は、前記保護動作回路が前記保護動作を行っている状態を維持するラッチ回路を備え、前記ラッチ回路は、複数のトランジスタで構成され、前記トランジスタのうち少なくとも１つは、電圧駆動型トランジスタとすることができる。
【００１６】
この発明により、遊技機は、スピーカーのより確実な保護と、スピーカー保護手段の誤動作の防止とを両立することができる。  
具体的には、例えば、ラッチ回路を備えていない場合、スピーカー信号に断続的な異常が発生すると、スピーカー保護手段は、保護動作を繰り返し行うこととなる。このため、スピーカーやアンプ回路に、通常の動作と保護動作とが繰り返されることによる不具合が生じるおそれがあった。
【００１７】
例えば、アンプ回路への電力供給の遮断を保護動作とした場合、スピーカー保護手段は、アンプ回路への電力の供給と、電力供給の遮断とを繰り返し行うこととなり、スピーカーやアンプ回路に、断続的に電力が供給されることによる不具合が生じるおそれがあった。
【００１８】
これに対して、ラッチ回路を備えたことにより、異常検知信号が保護信号出力回路に最初に入力された段階で、スピーカー保護手段は、保護動作を開始するとともに、保護動作を行っている状態を維持することができる。このため、例えばアンプ回路から断続的に異常な電圧が出力されるといったスピーカー信号の異常が発生した場合であっても、スピーカー保護手段は、通常の動作と保護動作とが繰り返されることを防止でき、スピーカーをより確実に保護することができる。
【００１９】
加えて、遊技機は、通常の動作と保護動作とが繰り返されることで、各種演出に関する音声が正常に報知されない不快感を遊技者に与えることを防止できる。  
これにより、遊技機は、保護動作を行っている状態を維持するラッチ回路を備えたことにより、スピーカーのより確実な保護と、スピーカー保護手段の誤動作の防止とを両立することができる。
【００２０】
さらに、遊技機は、不正に照射された電波によるラッチ回路の誤動作を防止することができるため、スピーカー保護手段の誤動作をより確実に防止することができる。  
具体的には、例えば、ラッチ回路を電流駆動型トランジスタのみで構成した場合、意図しない電流が電流駆動型トランジスタに流れると、電流駆動型トランジスタがスイッチ動作をすることとなる。このため、スピーカー保護手段は、ラッチ回路の誤動作によって、例えば、アンプ回路への電力供給を遮断するような保護動作を行っている状態を維持するおそれがある。
【００２１】
そこで、複数のトランジスタのうち、少なくとも１つのトランジスタを電圧駆動型トランジスタとすることにより、スピーカー保護手段は、意図しない電流が流れても電圧駆動型トランジスタがスイッチ動作をしない。これにより、スピーカー保護手段は、不正に照射された電波によって生じた渦電流によるラッチ回路の誤動作を防止することできる。
【００２２】
従って、遊技機は、ラッチ回路を構成するトランジスタのうち少なくとも１つを電圧駆動型トランジスタとすることにより、不正に照射された電波によるラッチ回路の誤動作を防止できるため、スピーカー保護手段の誤動作をより確実に防止することができる。
この発明の態様として、保護動作がアンプ回路への電力の供給を遮断することである場合に、保護動作回路を、電源ラインとアンプ回路との間にドレイン・ソース間が配置され、ゲート・ソース間の電圧が上昇するとドレイン・ソース間を導通状態にする保護動作用電界効果トランジスタと、保護動作用電界効果トランジスタのゲート・ソース間に接続された抵抗器および該抵抗器に対して並列接続されたコンデンサから成るＲＣ回路であって、保護動作用電界効果トランジスタのゲート・ソース間の電圧が上昇する際に過渡現象を生じる電圧調整用ＲＣ回路と、を備えるものとしてもよい。
【発明の効果】
【００２３】
本発明により、不正に照射された電波によるスピーカー保護手段の誤動作を防止できる遊技機を提供することができる。
【図面の簡単な説明】
【００２４】
【図１】スロットマシンにおける正面視からの外観を示す正面図。
【図２】スロットマシンの前扉を開放した状態における外観を示す外観斜視図。
【図３】スロットマシンにおける内部構成を示すブロック図。
【図４】各リールのコマ番号と図柄を説明する説明図。
【図５】演出制御基板における要部の構成を示す要部ブロック図。
【図６】スピーカー保護回路における回路構成を示す回路図。
【発明を実施するための形態】
【００２５】
この発明の一実施形態を以下図面と共に説明する。  
まず、本実施例におけるスロットマシン１について、図１から図４を用いて詳しく説明する。  
なお、図１はスロットマシン１における外観の正面図を示し、図２はスロットマシン１の前扉２を開放した状態における外観斜視図を示し、図３はスロットマシン１における内部構成のブロック図を示し、図４は各リールのコマ番号と図柄を説明する説明図を示している。
【００２６】
また、図１中において、矢印Ｙは左右方向を示し（以下、「左右方向Ｙ」とする）、図２中において、矢印Ｘは前後方向を示し（以下「前後方向Ｘ」とする）。  
また、前後方向Ｘにおける前扉２側を前方とし、前後方向Ｘにおける筐体本体３側を後方とし、左右方向Ｙにおける図１中の右側を右方向とし、左右方向Ｙにおける図１中の左側を左方向とする。さらに、図１中の上側を上方とし、図１中の下側を下方とする。
【００２７】
スロットマシン１は、図１及び図２に示すように、正面視略矩形の箱状体であって、遊技者と対面する前扉２と、前方側が開口した筐体本体３とで構成している。なお、前扉２は、筐体本体３の前方左端を回転中心にして開閉可能に取り付けられている。  
前扉２における遊技者と対面する表面部分は、図１に示すように、上部ランプ１１、液晶モニタ１２、及び表示窓１３を上方からこの順番で配置している。
【００２８】
さらに、表示窓１３の下方には、メダル投入口１４、最大ベットスイッチ１５、及びベットスイッチ１６を右側からこの順で並置するとともに、その下方に３つのストップスイッチ１７、及びスタートスイッチ１８を右側からこの順で並置している。  
そして、さらにその下方には、下部ランプ１９、スピーカー２０、メダル払出口２１、及びメダル受け皿２２を上方からこの順番で配置している。
【００２９】
前扉２における裏面部分には、図２に示すように、メダル投入口１４に接続されたメダルセレクタ２３、メダルセレクタ２３を介してメダル投入口１４とメダル払出口２１とを接続するメダルシュート２４、及び液晶制御基板２５を配置している。なお、メダルシュート２４は、メダルが流通可能に形成している。  
一方、筐体本体３の内部には、図２に示すように、リールユニット３１、ホッパーユニット３２、電源ユニット３３、及び制御装置３４を配置している。
【００３０】
より詳しくは、スロットマシン１は、図１から図３に示すように、上部ランプ１１、液晶モニタ１２、最大ベットスイッチ１５、ベットスイッチ１６、ストップスイッチ１７、スタートスイッチ１８、下部ランプ１９、スピーカー２０、メダルセレクタ２３、リールユニット３１、ホッパーユニット３２、電源ユニット３３、及び制御装置３４で構成している。
【００３１】
上部ランプ１１は、ＬＥＤなどで構成され、所定の信号線を介して接続された制御装置３４（後述する演出制御装置５０）の指示によって、点灯、消灯、あるいは点滅する機能を有している。  
液晶モニタ１２は、液晶制御基板２５及び所定の信号線を介して接続された制御装置３４（後述する演出制御装置５０）の指示によって、遊技の進行に応じた各種演出画面や操作の案内画面を表示する機能を有している。
【００３２】
最大ベットスイッチ１５は、所定の信号線を介して接続された制御装置３４（後述する遊技制御装置４０）が記憶しているクレジットに貯留されているメダルから１回の遊技で使用する最大枚数のメダルの投入を所望する遊技者の操作を受付ける機能を有している。  
ベットスイッチ１６は、所定の信号線を介して接続された制御装置３４（後述する遊技制御装置４０）が記憶しているクレジットに貯留されているメダルから１枚のメダルの投入を所望する遊技者の操作を受付ける機能を有している。
【００３３】
ストップスイッチ１７は、所定の信号線を介して制御装置３４（後述する遊技制御装置４０）に接続され、後述するリールユニット３１を構成する各リールの回転停止を所望する遊技者の操作を受付ける機能を有している。  
なお、ストップスイッチ１７は、図１に示すように、後述する左リール３１ａに対応する左ストップスイッチ１７ａ、後述する中リール３１ｂに対応する中ストップスイッチ１７ｂ、及び後述する右リール３１ｃに対応する右ストップスイッチ１７ｃで構成されている。
【００３４】
スタートスイッチ１８は、所定の信号線を介して制御装置３４（後述する遊技制御装置４０）に接続され、リールユニット３１を構成する各リールの回転開始を所望する遊技者の操作を受付ける機能を有している。  
下部ランプ１９は、ＬＥＤなどで構成され、所定の信号線を介して接続された制御装置３４（後述する演出制御装置５０）の指示によって、点灯、消灯、あるいは点滅する機能を有している。
【００３５】
スピーカー２０は、ハーネス３６を介して接続された制御装置３４（後述する演出制御装置５０）の指示によって、遊技の進行に応じた音声を出力する機能を有している。  
メダルセレクタ２３は、遊技者によってメダル投入口１４に投入されたメダルを検知する投入センサ（図示省略）、及びソレノイド（図示省略）などで構成し、所定の信号線を介して制御装置３４（後述する遊技制御装置４０）に接続している。
【００３６】
なお、メダルセレクタ２３は、遊技者によってメダル投入口１４に投入されたメダルの搬送先を、メダルシュート２４あるいはホッパーユニット３２のいずれか一方に切り替える機能と、ホッパーユニット３２へ流下するメダルを検知する機能とを有している。
【００３７】
リールユニット３１は、図２に示すように、左右方向Ｙを回転軸として同軸回転可能に並置した略円筒状の左リール３１ａ、中リール３１ｂ、及び右リール３１ｃと、各リールに連結された駆動モーター（図示省略）と、各リールに１つずつ設けた突起状のリールインデックス（図示省略）を検出する位置センサ（図示省略）などで構成している。このリールユニット３１は、所定の信号線を介して制御装置３４（後述する遊技制御装置４０）に接続している。
【００３８】
左リール３１ａ、中リール３１ｂ、及び右リール３１ｃには、図４に示すように、複数の図柄がプリントされた図柄シールがそれぞれ貼付されている。この図柄シールは、リールの回転方向に長い略短冊状であって、所定の大きさに区切られた２１個のコマにそれぞれ図柄を１つずつ配置している。このコマには、「ベル１」、「ベル２」、「ベル３」、「星」、及び「チェリー」の５種類の図柄のいずれか１つが配置されている。
【００３９】
なお、リールユニット３１の各リールは、図１に示すように、リールユニット３１における左右方向Ｙの長さと略同等の左右方向長さを有するとともに、各リールの図柄が３コマ分視認可能な上下方向の長さを有する略矩形で、無色透明に形成した表示窓１３を介して視認可能にしている。
【００４０】
ホッパーユニット３２は、メダルセレクタ２３から搬送されたメダルを貯留するホッパー容器３２ａ（図２参照）、ホッパー容器３２ａから溢れ出したメダルを貯留する補助タンク（図示省略）、メダルの払出しを行う駆動モーター（図示省略）、及び払い出されるメダルを１枚ずつ検知する払出しセンサ（図示省略）などで構成している。
【００４１】
このホッパーユニット３２は、投入されたメダルを貯留する機能と、制御装置３４（後述する遊技制御装置４０）の指示によって、メダル払出口２１を介してメダル受け皿２２にメダルを排出する機能とを有している。
【００４２】
電源ユニット３３は、電力の供給のオン、オフを切り替える電源スイッチ３３ａを前面に備えるとともに、外部から供給される電力を制御する機能と、制御した電力を各部に出力する機能とを有している。なお、電源ユニット３３は、交流電流を所定の電圧の直流電流に変換して出力する。
【００４３】
制御装置３４は、図３に示すように、遊技制御装置４０、及び演出制御装置５０、及び遊技制御装置４０と演出制御装置５０とを電気的に接続するハーネス３５で構成している。  
より詳しくは、遊技制御装置４０を構成する遊技制御基板４１は、乱数発生回路４２、送信回路４３、及びこれらとデータバス（図示省略）を介して接続されるとともに、これらの動作を制御する第１マイコン４４を備えている。
【００４４】
乱数発生回路４２は、カウンタ回路、及びラッチ回路で構成され、「０」から「２５５」の範囲内で乱数値を発生させる機能を有している。  
送信回路４３は、第１マイコン４４が生成したコマンドを制御信号に変換する機能と、ハーネス３５を介して演出制御装置５０に制御信号を送信する機能とを有している。なお、制御信号は、遊技制御装置４０から演出制御装置５０への一方向のみに送信される。
【００４５】
第１マイコン４４は、所謂、ワンチップマイコンであって、第１ＲＯＭ４４ａ、第１ＲＡＭ４４ｂ、及び第１ＣＰＵ４４ｃなどで構成している。  
第１ＲＯＭ４４ａは、読取り専用のメモリで構成した記憶手段であって、遊技の進行を制御する遊技進行プログラムなどの各種プログラム、及び遊技の進行にかかる各種情報などを記憶している。
【００４６】
第１ＲＡＭ４４ｂは、読取り書込み可能なメモリで構成した記憶手段であって、遊技の進行に応じた各種情報を一時的に記憶する機能と、遊技の進行に応じて各種情報を読み出す機能とを有している。例えば、第１ＲＡＭ４４ｂには、遊技者が投入したメダルの枚数、あるいは遊技によって獲得したメダルの枚数を示すクレジットを一時記憶している。  
第１ＣＰＵ４４ｃは、遊技進行プログラムなどの各種プログラムを実行する機能と、接続された各部の動作を各種プログラムに基づいて制御する機能とを有している。
【００４７】
また、演出制御装置５０を構成する演出制御基板５１は、乱数発生回路５２、受信回路５３、及びこれらとデータバス（図示省略）を介して接続されるとともに、これらの動作を制御する第２マイコン５４を備えている。なお、演出制御基板５１は、電源ユニット３３からの電力供給を、遊技制御基板４１及びハーネス３５を介して受付けている。  
さらに、演出制御基板５１には、第２マイコン５４に接続するとともに、スピーカー２０に接続するアンプ回路５５を備えている。このアンプ回路５５については、後ほど詳しく説明する。
【００４８】
乱数発生回路５２は、カウンタ回路、及びラッチ回路で構成され、「０」から「２５５」の範囲内で乱数値を発生させる機能を有している。  
受信回路５３は、遊技制御基板４１の送信回路４３から受信した制御信号を、コマンドに変換する機能と、変換したコマンドを一時記憶する機能と、第２マイコン５４の割り込み制御によって、記憶したコマンドを第２マイコン５４に出力する機能とを有している。
【００４９】
第２マイコン５４は、所謂、ワンチップマイコンであって、第２ＲＯＭ５４ａ、第２ＲＡＭ５４ｂ、及び第２ＣＰＵ５４ｃなどで構成している。  
第２ＲＯＭ５４ａは、読取り専用のメモリで構成した記憶手段であって、遊技の進行に応じた各種演出を制御する演出プログラムなどの各種プログラム、及び遊技の進行に応じた各種演出を示す演出情報などを記憶している。
【００５０】
第２ＲＡＭ５４ｂは、読取り書込み可能なメモリで構成した記憶手段であって、演出の進行に応じた各種情報を一時的に記憶する機能と、演出の進行に応じて各種情報を読み出す機能とを有している。  
第２ＣＰＵ５４ｃは、演出プログラムなどの各種プログラムを実行する機能と、接続された各部の動作を各種プログラムに基づいて制御する機能とを有している。
【００５１】
次に、このような構成の演出制御基板５１において、ハーネス３６を介して接続されたスピーカー２０を保護するスピーカー保護回路５６について、図５及び図６を用いて詳しく説明する。  
なお、図５は演出制御基板５１における要部の構成の要部ブロック図を示し、図６はスピーカー保護回路５６における回路構成の回路図を示している。
【００５２】
演出制御基板５１には、図５に示すように、第２マイコン５４とデータバスを介して接続されたアンプ回路５５と、アンプ回路５５に接続されたスピーカー保護回路５６を備えている。  
アンプ回路５５は、第２マイコン５４から入力された制御信号を増幅する機能と、増幅した制御信号をスピーカー信号としてスピーカー２０に出力する機能とを有している。なお、スピーカー２０は、スピーカー信号に基づいて各種の音声を出力する。
【００５３】
このアンプ回路５５は、スピーカー保護回路５６（後述する電源オン／オフ回路５６ｄ）を介して、ハーネス３５を構成するプラス側電源ライン３５ａと電気的に接続するとともに、ハーネス３５を構成するマイナス側電源ライン３５ｂと電気的に接続して、電源ユニット３３から遊技制御基板４１を介して電力の供給を受付けている。
【００５４】
さらに、アンプ回路５５は、ハーネス３６を構成するプラス側スピーカーライン３６ａ及びマイナス側スピーカーライン３６ｂを介して、スピーカー２０と電気的に接続している。なお、アンプ回路５５が出力したスピーカー信号は、プラス側スピーカーライン３６ａ及びマイナス側スピーカーライン３６ｂを介してスピーカー２０へ伝達される。
【００５５】
スピーカー保護回路５６は、アンプ回路５５からスピーカー２０に出力されたスピーカー信号の電圧に基づいて、アンプ回路５５への電力の供給を制御する機能を有している。  
具体的には、スピーカー保護回路５６は、図６に示すように、ＤＣ検知回路５６ａ、保護信号出力回路５６ｂ、ラッチ回路５６ｃ、及び電源オン／オフ回路５６ｄを電気的に接続して構成している。
【００５６】
ＤＣ検知回路５６ａは、詳細な図示を省略するが、プラス側スピーカーライン３６ａと電気的に接続された入力部ＩＮ１と、マイナス側スピーカーライン３６ｂと電気的に接続された入力部ＩＮ２と、保護信号出力回路５６ｂと電気的に接続された出力部ＯＵＴとを有する回路である。
【００５７】
このＤＣ検知回路５６ａは、プラス側スピーカーライン３６ａの電圧と、マイナス側スピーカーライン３６ｂの電圧との差を監視することでスピーカー信号の異常を検知する機能、及び監視している電圧の差に基づいて、スピーカー信号の異常を示す電圧信号である異常検知信号を出力部ＯＵＴから保護信号出力回路５６ｂに出力する機能を有している。
【００５８】
より詳しくは、ＤＣ検知回路５６ａは、監視している電圧の差が所定の範囲より大きい場合、スピーカー信号が異常であると判定してＨｉレベルの電圧信号である異常検知信号を出力する。
【００５９】
保護信号出力回路５６ｂは、ＤＣ検知回路５６ａから異常検知信号が入力されるとスピーカー２０へのスピーカー信号の出力を停止する保護動作を行うための保護信号を出力する機能を有している。この保護信号出力回路５６ｂは、ＤＣ検知回路５６ａに接続されるとともに、抵抗器Ｒ１１、Ｎチャンネル型電界効果トランジスタＱ１１、抵抗器Ｒ１２、コンデンサＣ１１、及び抵抗器Ｒ１３を電気的に接続して構成している。
【００６０】
抵抗器Ｒ１１は、ＤＣ検知回路５６ａの出力部ＯＵＴに一端を接続し、後述するＮチャンネル型電界効果トランジスタＱ１１のゲートに他端を接続している。この抵抗器Ｒ１１は、ＤＣ検知回路５６ａが出力した電圧信号の電圧レベルを調整するために設けている。
【００６１】
Ｎチャンネル型電界効果トランジスタＱ１１は、抵抗器Ｒ１１にゲートを接続し、グランドにソースを接続するとともに、後述する抵抗器Ｒ１３にドレインを接続している。なお、プラス側スピーカーライン３６ａの電圧と、マイナス側スピーカーライン３６ｂの電圧との差が正常な状態において、Ｎチャンネル型電界効果トランジスタＱ１１は、ドレイン・ソース間が非導通の状態であるオフ状態となる。
【００６２】
抵抗器Ｒ１２は、抵抗器Ｒ１１とＮチャンネル型電界効果トランジスタＱ１１との間に設けた接続点Ｐ１に一端を接続し、Ｎチャンネル型電界効果トランジスタＱ１１のソースとグランドとの間に設けた接続点Ｐ３に他端を接続している。この抵抗器Ｒ１２は、ＤＣ検知回路５６ａが出力した電圧信号の電圧レベルを調整するために設けている。
【００６３】
コンデンサＣ１１は、抵抗器Ｒ１２に対して並列接続するとともに、接続点Ｐ１とＮチャンネル型電界効果トランジスタＱ１１との間に設けた接続点Ｐ２に一端を接続し、接続点Ｐ３に他端を接続している。  
さらに、抵抗器Ｒ１２、及びコンデンサＣ１１は、抵抗器Ｒ１１とともにＲＣ回路を構成し、Ｎチャンネル型電界効果トランジスタＱ１１のゲート・ソース間の電圧が所定電圧に達するまでの時間を調整する機能を有している。
【００６４】
抵抗器Ｒ１３は、Ｎチャンネル型電界効果トランジスタＱ１１のドレインに一端を接続し、ラッチ回路５６ｃ（後述するＰチャンネル型電界効果トランジスタＱ２１）に他端を接続している。この抵抗器Ｒ１３は、Ｎチャンネル型電界効果トランジスタＱ１１がオン状態において、ラッチ回路５６ｃから印加される電圧を調整するために設けている。
【００６５】
ラッチ回路５６ｃは、後述する電源オン／オフ回路５６ｄが保護動作を行っている状態を維持する機能を有している。このラッチ回路５６ｃは、保護信号出力回路５６ｂに接続されるとともに、Ｐチャンネル型電界効果トランジスタＱ２１、Ｎチャンネル型電界効果トランジスタＱ２２、抵抗器Ｒ２１、抵抗器Ｒ２２、抵抗器Ｒ２３、及びコンデンサＣ２１を電気的に接続して構成している。なお、Ｐチャンネル型電界効果トランジスタＱ２１及びＮチャンネル型電界効果トランジスタＱ２２は、サイリスタ接続となっている。
【００６６】
Ｐチャンネル型電界効果トランジスタＱ２１は、保護信号出力回路５６ｂの抵抗器Ｒ１３にゲートを接続し、後述する抵抗器Ｒ２１にソースを接続するとともに、後述するＮチャンネル型電界効果トランジスタＱ２２のゲートにドレインを接続している。
【００６７】
Ｎチャンネル型電界効果トランジスタＱ２２のゲートは、Ｐチャンネル型電界効果トランジスタＱ２１のドレインと接続されている。さらに、Ｎチャンネル型電界効果トランジスタＱ２２のソースは、グランドに接続されている。そして、Ｎチャンネル型電界効果トランジスタＱ２２のドレインは、Ｐチャンネル型電界効果トランジスタＱ２１のゲート及び電源オン／オフ回路５６ｄ（後述するダイオードＤ３２）に接続されている。
【００６８】
なお、プラス側スピーカーライン３６ａの電圧と、マイナス側スピーカーライン３６ｂの電圧との差が正常な状態において、Ｐチャンネル型電界効果トランジスタＱ２１、及びＮチャンネル型電界効果トランジスタＱ２２は、オフ状態となる。
【００６９】
抵抗器Ｒ２１は、Ｐチャンネル型電界効果トランジスタＱ２１のソースに一端を接続し、電源オン／オフ回路５６ｄ（後述するＰチャンネル型電界効果トランジスタＱ３１）に他端を接続している。この抵抗器Ｒ２１は、電源オン／オフ回路５６ｄから印加される電圧を調節するために設けている。
【００７０】
抵抗器Ｒ２２は、Ｐチャンネル型電界効果トランジスタＱ２１のソースと抵抗器Ｒ２１との間に設けた接続点Ｐ４に一端を接続するとともに、保護信号出力回路５６ｂとＰチャンネル型電界効果トランジスタＱ２１のゲートとの間に設けた接続点Ｐ５を介して、Ｎチャンネル型電界効果トランジスタＱ２２のドレインと電源オン／オフ回路５６ｄとの間に設けた接続点Ｐ６に他端を接続している。この抵抗器Ｒ２２は、Ｐチャンネル型電界効果トランジスタＱ２１のゲート・ソース間の電圧を調整するために設けている。
【００７１】
抵抗器Ｒ２３は、Ｐチャンネル型電界効果トランジスタＱ２１のドレインとＮチャンネル型電界効果トランジスタＱ２２のゲートとの間に設けた接続点Ｐ７に一端を接続し、Ｎチャンネル型電界効果トランジスタＱ２２のソースとグランドとの間に設けた接続点Ｐ９に他端を接続している。
【００７２】
コンデンサＣ２１は、抵抗器Ｒ２３に対して並列接続するとともに、Ｐチャンネル型電界効果トランジスタＱ２１のドレインと接続点Ｐ７との間に設けた接続点Ｐ８に一端を接続し、接続点Ｐ９に他端を接続している。  
さらに、抵抗器Ｒ２３、及びコンデンサＣ２１は、抵抗器Ｒ２１とともにＲＣ回路を構成し、Ｎチャンネル型電界効果トランジスタＱ２２のゲート・ソース間の電圧が所定電圧に達するまでの時間を調整する機能を有している。
【００７３】
電源オン／オフ回路５６ｄは、スピーカー２０へのスピーカー信号の出力を停止する保護動作を行う機能を有している。この電源オン／オフ回路５６ｄは、ラッチ回路５６ｃに接続されるとともに、Ｐチャンネル型電界効果トランジスタＱ３１、抵抗器Ｒ３１、抵抗器Ｒ３２、バイポーラトランジスタＱ３２、ダイオードＤ３１、ダイオードＤ３２、抵抗器Ｒ３３、抵抗器Ｒ３４、抵抗器Ｒ３５、及びコンデンサＣ３１を電気的に接続して構成している。
【００７４】
Ｐチャンネル型電界効果トランジスタＱ３１は、ラッチ回路５６ｃの抵抗器Ｒ２１にソースを接続し、アンプ回路５５にドレインを接続するとともに、後述する抵抗器Ｒ３１にゲートを接続している。さらに、Ｐチャンネル型電界効果トランジスタＱ３１のソースは、抵抗器Ｒ２１との間に設けた接続点Ｐ１０を介してプラス側電源ライン３５ａと接続している。
【００７５】
なお、プラス側スピーカーライン３６ａの電圧と、マイナス側スピーカーライン３６ｂの電圧との差が正常な状態において、Ｐチャンネル型電界効果トランジスタＱ３１は、ドレイン・ソース間が導通した状態であるオン状態となる。
【００７６】
抵抗器Ｒ３１、及び抵抗器Ｒ３２は、直列接続され、Ｐチャンネル型電界効果トランジスタＱ３１のゲートに抵抗器Ｒ３１の一端を接続し、後述するバイポーラトランジスタＱ３２のコレクタに抵抗器Ｒ３２の一端を接続している。なお、抵抗器Ｒ３１をノイズ対策用に設け、抵抗器Ｒ３２をＰチャンネル型電界効果トランジスタＱ３１のゲート・ソース間の電圧を調整するために設けている。
【００７７】
バイポーラトランジスタＱ３２は、抵抗器Ｒ３２にコレクタを接続し、後述するダイオードＤ３１のアノードにエミッタを接続するとともに、後述するダイオードＤ３２のアノードにベースを接続している。  
なお、プラス側スピーカーライン３６ａの電圧と、マイナス側スピーカーライン３６ｂの電圧との差が正常な状態において、バイポーラトランジスタＱ３２は、オン状態となる。
【００７８】
ダイオードＤ３１は、バイポーラトランジスタＱ３２のエミッタにアノードを接続し、後述する抵抗器Ｒ３４とグランドとの間に設けた接続点Ｐ１６を介してグランドにカソードを接続している。
【００７９】
ダイオードＤ３２は、バイポーラトランジスタＱ３２のベースにアノードを接続し、ラッチ回路５６ｃにおけるＮチャンネル型電界効果トランジスタＱ２２のドレインにカソードを接続している。  
抵抗器Ｒ３３は、ラッチ回路５６ｃと接続点Ｐ１０との間に設けた接続点Ｐ１１に一端を接続し、バイポーラトランジスタＱ３２のベースとダイオードＤ３２との間に設けた接続点Ｐ１５に他端を接続している。
【００８０】
抵抗器Ｒ３４は、接続点Ｐ１５に一端を接続し、接続点Ｐ１６を介して他端をグランドに接続している。すなわち、抵抗器Ｒ３３、及び抵抗器Ｒ３４は、接続点Ｐ１５を介して直列接続している。  
なお、抵抗器Ｒ３３及び抵抗器Ｒ３４は、バイポーラトランジスタＱ３２のベースに流れる電流値を調整するために設けている。
【００８１】
抵抗器Ｒ３５は、抵抗器Ｒ３１に対して並列接続するとともに、接続点Ｐ１０と接続点Ｐ１１との間に設けた接続点Ｐ１２に一端を接続し、抵抗器Ｒ３１と抵抗器Ｒ３２との間に設けた接続点Ｐ１４に他端を接続している。なお、抵抗器Ｒ３５は、Ｐチャンネル型電界効果トランジスタＱ３１のゲート・ソース間の電圧を調整するために設けている。
【００８２】
コンデンサＣ３１は、抵抗器Ｒ３１に対して並列接続するとともに、接続点Ｐ１０と接続点Ｐ１２との間に設けた接続点Ｐ１３に一端を接続し、接続点Ｐ１４に他端を接続している。  
さらに、抵抗器Ｒ３５、及びコンデンサＣ３１は、ＲＣ回路を構成するとともに、オフ状態のＰチャンネル型電界効果トランジスタＱ３１が急激にオン状態へ移行することを抑制する機能を有している。
【００８３】
引き続き、このような構成のスピーカー保護回路５６を有するスロットマシン１において、電源を投入した際のスピーカー保護回路５６の動作について説明する。  
まず、電源ユニット３３の電源スイッチ３３ａをオンにすると、ハーネス３５を介してスピーカー保護回路５６に電力が供給される。そして、電源オン／オフ回路５６ｄの接続点Ｐ１５を介してバイポーラトランジスタＱ３２のベースに電流が流れるため、バイポーラトランジスタＱ３２がオン状態になる。
【００８４】
バイポーラトランジスタＱ３２がオン状態になると、Ｐチャンネル型電界効果トランジスタＱ３１がオン状態となり、アンプ回路５５へ電力供給が開始される。
【００８５】
この際、Ｐチャンネル型電界効果トランジスタＱ３１におけるゲート・ソース間の電圧は、コンデンサＣ３１による過渡現象によって緩やかに上昇することとなる。このため、Ｐチャンネル型電界効果トランジスタＱ３１のソース・ドレイン間は、非導通状態から導通状態へと緩やかに移行する。これにより、電源オン／オフ回路５６ｄは、アンプ回路５５への急激な電圧印加を抑制して、アンプ回路５５の破損などを防止している。
【００８６】
次に、スピーカー信号に異常が生じた際の動作を説明する。具体例として、電源投入後の状態において、プラス側スピーカーライン３６ａの電圧とマイナス側スピーカーライン３６ｂの電圧との差に異常が生じた際の動作について説明する。  
まず、プラス側スピーカーライン３６ａの電圧と、マイナス側スピーカーライン３６ｂの電圧との差が所定範囲より大きい場合、ＤＣ検知回路５６ａは、Ｈｉレベルの電圧信号である異常検知信号を保護信号出力回路５６ｂへ出力する。
【００８７】
Ｈｉレベルの電圧信号が印加され、Ｎチャンネル型電界効果トランジスタＱ１１のゲート・ソース間の電圧値が所定の値に達すると、Ｎチャンネル型電界効果トランジスタＱ１１がオフ状態からオン状態になる。この際、抵抗器Ｒ１１、抵抗器Ｒ１２、及びコンデンサＣ１１による過渡現象によって、Ｎチャンネル型電界効果トランジスタＱ１１におけるゲート・ソース間の電圧値は、緩やかに上昇することとなる。
【００８８】
つまり、Ｎチャンネル型電界効果トランジスタＱ１１におけるゲート電圧の電圧値が所定の値に達するまでの時間である所定時間を超えて、Ｈｉレベルの電圧信号がゲートに継続して入力された場合に、Ｎチャンネル型電界効果トランジスタＱ１１がオン状態となる。なお、所定時間は、抵抗器Ｒ１１の抵抗値、抵抗器Ｒ１２の抵抗値、及びコンデンサＣ１１の静電容量の乗算によって設定される。
【００８９】
Ｎチャンネル型電界効果トランジスタＱ１１がオン状態になると、抵抗器Ｒ２１、抵抗器Ｒ２２、抵抗器Ｒ１３、及びＮチャンネル型電界効果トランジスタＱ１１を介して、プラス側電源ライン３５ａとグランドとが導通する。これにより、Ｐチャンネル型電界効果トランジスタＱ２１のゲートに対して、Ｌｏレベルの信号（本発明の保護信号に相当する）が出力される。
【００９０】
ラッチ回路５６ｃに保護信号が入力されると、抵抗器Ｒ２２によって、Ｐチャンネル型電界効果トランジスタＱ２１のゲート電圧がＬｏレベルとなるため、Ｐチャンネル型電界効果トランジスタＱ２１がオフ状態からオン状態になる。  
Ｐチャンネル型電界効果トランジスタＱ２１がオン状態になると、Ｎチャンネル型電界効果トランジスタＱ２２のゲート電圧がＨｉレベルとなるため、Ｎチャンネル型電界効果トランジスタＱ２２がオフ状態からオン状態になる。
【００９１】
この際、抵抗器Ｒ２１、抵抗器Ｒ２３、及びコンデンサＣ２１による過渡現象によって、Ｎチャンネル型電界効果トランジスタＱ２２のゲート・ソース間に所定時間を超えて電圧が印加された場合に、Ｎチャンネル型電界効果トランジスタＱ２２がオン状態となる。
【００９２】
Ｎチャンネル型電界効果トランジスタＱ２２がオン状態になると、Ｎチャンネル型電界効果トランジスタＱ２２と電源オン／オフ回路５６ｄの接続点Ｐ１５とが導通する。このため、電源オン／オフ回路５６ｄにおいて、バイポーラトランジスタＱ３２のベースに流れる電流値が低下して、バイポーラトランジスタＱ３２がオン状態からオフ状態になる。
【００９３】
バイポーラトランジスタＱ３２がオフ状態になると、Ｐチャンネル型電界効果トランジスタＱ３１におけるゲート・ソース間の電位差が小さくなるため、Ｐチャンネル型電界効果トランジスタＱ３１がオン状態からオフ状態となる。すなわち、Ｐチャンネル型電界効果トランジスタＱ３１のソースとドレインとが非導通状態となるため、アンプ回路５５への電力の供給が遮断され、保護動作が開始される。
【００９４】
なお、ラッチ回路５６ｃのＰチャンネル型電界効果トランジスタＱ２１、及びＮチャンネル型電界効果トランジスタＱ２２がオン状態において、ＤＣ検知回路５６ａが出力する電圧信号がＨｉレベルではなくなると、保護信号出力回路５６ｂのＮチャンネル型電界効果トランジスタＱ１１がオン状態からオフ状態となる。
【００９５】
この際、ラッチ回路５６ｃは、Ｎチャンネル型電界効果トランジスタＱ２２がオン状態のため、Ｐチャンネル型電界効果トランジスタＱ２１のゲート電圧はＬｏレベルを維持する。すなわち、ラッチ回路５６ｃは、Ｐチャンネル型電界効果トランジスタＱ２１、及びＮチャンネル型電界効果トランジスタＱ２２がオン状態を維持し続けるラッチ状態となり、保護動作を行っている状態が維持される。
【００９６】
このため、電源オン／オフ回路５６ｄにおいて、Ｐチャンネル型電界効果トランジスタＱ３１のオフ状態が維持される。このラッチ回路５６ｃのラッチ状態は、電源ユニット３３の電源スイッチ３３ａが操作されて電源がオフになるまで維持される。
【００９７】
以上のような動作を実現するスロットマシン１は、不正に照射された電波によるスピーカー保護回路５６の誤動作を防止することができる。  
具体的には、Ｎチャンネル型電界効果トランジスタＱ１１が電圧の印加によってスイッチ動作するため、スピーカー保護回路５６は、意図しない電流がＮチャンネル型電界効果トランジスタＱ１１に流れた場合であっても、アンプ回路５５への電力供給を遮断することがない。
【００９８】
これにより、例えば、スロットマシン１を誤動作させるような電波、あるいは記憶された情報を書き換えるような電波が照射された場合であっても、スロットマシン１は、スピーカー２０への出力が遮断されることを防止できる。  
さらに、例えば、不正に照射された電波を検知すると報知する機能を有する場合、スロットマシン１は、スピーカー保護回路５６の誤動作を防止するとともに、不正に照射された電波の検知を音声によって確実に報知することができる。
【００９９】
加えて、不正に照射された電波によって発生する渦電流は、電気が流れる経路である電路が長いほど発生し易い。そして、スピーカー保護回路５６に対して離れた位置にスピーカー２０を配置しているため、スピーカー２０、ハーネス３６、ＤＣ検知回路５６ａ、及び保護信号出力回路５６ｂで構成される電路は、長くなり易い。
【０１００】
このため、電波が照射された場合、スピーカー２０、ハーネス３６、ＤＣ検知回路５６ａ、及び保護信号出力回路５６ｂで構成される電路に渦電流が発生し易くなる。  
これに対して、スピーカー保護回路５６は、仮にスピーカー２０、ハーネス３６、ＤＣ検知回路５６ａ、及び保護信号出力回路５６ｂで構成される電路に渦電流が流れた場合でも、Ｎチャンネル型電界効果トランジスタＱ１１がオン状態にならないため、ラッチ回路５６ｃ、及び電源オン／オフ回路５６ｄの誤動作を防止することができる。
【０１０１】
従って、スロットマシン１は、Ｎチャンネル型電界効果トランジスタＱ１１で保護信号出力回路５６ｂを構成したことにより、不正に照射された電波によるスピーカー保護回路５６の誤動作を防止することができる。
【０１０２】
また、電源オン／オフ回路５６ｄにおけるＰチャンネル型電界効果トランジスタＱ３１のオフ状態を維持するラッチ回路５６ｃを、スピーカー保護回路５６に備えたことにより、スロットマシン１は、スピーカー２０やアンプ回路５５のより確実な保護と、スピーカー保護回路５６の誤動作の防止とを両立することができる。
【０１０３】
具体的には、例えば、ラッチ回路５６ｃを備えていない場合、アンプ回路５５から断続的に異常な電圧が出力されると、スピーカー保護回路５６は、アンプ回路５５への電力の供給と、電力供給の遮断とを繰り返し行うこととなる。このため、スピーカー２０やアンプ回路５５に、断続的に電力が供給されることによる不具合が生じるおそれがあった。
【０１０４】
これに対して、ラッチ回路５６ｃを備えたことにより、Ｈｉレベルの電圧信号が保護信号出力回路５６ｂに最初に入力された段階で、スピーカー保護回路５６は、アンプ回路５５への電力供給を遮断するとともに、電力供給を遮断した遮断状態を維持することができる。このため、例えばアンプ回路５５から断続的に異常な電圧が出力された場合であっても、スピーカー保護回路５６は、スピーカー２０やアンプ回路５５への断続的な電力供給を防止でき、スピーカー２０やアンプ回路５５をより確実に保護することができる。
【０１０５】
加えて、スロットマシン１は、アンプ回路５５への電力の供給と電力供給の遮断とが繰り返されることで、各種演出に関する音声が正常に報知されない不快感を遊技者に与えることを防止できる。  
従って、スロットマシン１は、電力供給の遮断状態を維持するラッチ回路５６ｃを備えたことにより、スピーカー２０やアンプ回路５５のより確実な保護と、スピーカー保護回路５６の誤動作の防止とを両立することができる。
【０１０６】
また、Ｐチャンネル型電界効果トランジスタＱ２１と、Ｎチャンネル型電界効果トランジスタＱ２２とでラッチ回路５６ｃを構成したことにより、スロットマシン１は、不正に照射された電波によるラッチ回路５６ｃの誤動作を防止することができるため、スピーカー保護回路５６の誤動作をより確実に防止することができる。
【０１０７】
具体的には、例えば、Ｎチャンネル型電界効果トランジスタＱ２２に代えて電流駆動型トランジスタであるバイポーラトランジスタを用いた場合、保護信号出力回路５６ｂのＮチャンネル型電界効果トランジスタＱ１１、及びラッチ回路５６ｃのＰチャンネル型電界効果トランジスタＱ２１がオフ状態において、意図しない電流がバイポーラトランジスタに流れると、バイポーラトランジスタがオン状態となる。
【０１０８】
このため、電源オン／オフ回路５６ｄのＰチャンネル型電界効果トランジスタＱ３１がオフ状態になり、スピーカー保護回路５６は、アンプ回路５５への電力供給を、意図しない電流によって遮断するおそれがある。すなわち、スピーカー保護回路５６は、ラッチ回路５６ｃの誤動作によって、アンプ回路５５への電力供給を遮断するおそれがある。
【０１０９】
そこで、電圧駆動型トランジスタであるＮチャンネル型電界効果トランジスタＱ２２をラッチ回路５６ｃに備えたことにより、スピーカー保護回路５６は、意図しない電流が流れてもＮチャンネル型電界効果トランジスタＱ２２がスイッチ動作することを防止できる。これにより、スピーカー保護回路５６は、不正に照射された電波によって生じた渦電流によるラッチ回路５６ｃの誤動作を防止することできる。
【０１１０】
従って、スロットマシン１は、電源オン／オフ回路５６ｄを動作させるＮチャンネル型電界効果トランジスタＱ２２をラッチ回路５６ｃに備えたことにより、不正に照射された電波によるラッチ回路５６ｃの誤動作を防止できるため、スピーカー保護回路５６の誤動作をより確実に防止することができる。
【０１１１】
また、所定時間を超えてＨｉレベルの電圧信号が継続して入力された場合、Ｎチャンネル型電界効果トランジスタＱ１１をオン状態にするように保護信号出力回路５６ｂにＲＣ回路を備えたことにより、スロットマシン１は、電気的なノイズを要因とする電圧の異常をＤＣ検知回路５６ａが検知した場合におけるスピーカー保護回路５６の誤動作をより確実に防止することができる。
【０１１２】
具体的には、所定時間を超えてＨｉレベルの電圧信号が継続して入力された場合、Ｎチャンネル型電界効果トランジスタＱ１１をオン状態にし、極短時間に入力されたＨｉレベルの電圧信号はＲＣ回路で吸収されるため、保護信号出力回路５６ｂは、極短時間に入力されたＨｉレベルの電圧信号によって、Ｎチャンネル型電界効果トランジスタＱ１１がオン状態になることを防止できる。
【０１１３】
これにより、スピーカー保護回路５６は、極短時間に発生する電気的なノイズによって、アンプ回路５５への電力供給が遮断されることを防止できる。すなわち、スピーカー保護回路５６は、電気的なノイズによって誤動作をすることがない。
【０１１４】
従って、スロットマシン１は、所定時間を超えてＨｉレベルの電圧信号が入力された場合、Ｎチャンネル型電界効果トランジスタＱ１１をオン状態にすることで、電気的なノイズによるスピーカー保護回路５６の誤動作を防止することができる。
【０１１５】
なお、上述の実施例において、第１マイコン４４、及び第２マイコン５４を制御手段として説明したが、これに限定せず、ＣＰＵ、ＲＡＭ、及びＲＯＭをそれぞれ制御基板上に備え、ＣＰＵ、ＲＡＭ、及びＲＯＭの協働によって動作を制御する構成の制御手段としてもよい。
【０１１６】
また、アンプ回路５５及びスピーカー保護回路５６を演出制御基板５１に備えたが、これに限定せず、演出制御基板５１とは別体で構成した接続基板や制御基板に、アンプ回路５５及びスピーカー保護回路５６を備えた構成としてもよい。  
また、Ｎチャンネル型電界効果トランジスタＱ１１、Ｎチャンネル型電界効果トランジスタＱ２２、及びＰチャンネル型電界効果トランジスタＱ３１を用いて説明したが、これに限定せず、電圧の印加によってスイッチ動作可能な電圧駆動型トランジスタであれば適宜のトランジスタとしてもよい。
【０１１７】
また、アンプ回路５５から出力されたスピーカー信号の異常を検知する一例として、電圧の異常を検知するＤＣ検知回路５６ａを用いて説明したが、これに限定せず、過大電流など電流の異常を検知する構成としてもよい。  
また、スピーカー２０へのスピーカー信号を停止する保護動作の一例として、アンプ回路５５への電力供給を遮断することを説明したが、これに限定せず、保護動作を行う構成であれば適宜の構成としてもよい。例えば、プラス側スピーカーライン３６ａまたはマイナス側スピーカーライン３６ｂのいずれか一方または両方を遮断することにより、スピーカー２０とスピーカーラインとの接続を遮断し、スピーカー２０へのスピーカー信号を停止することとしてもよい。
【０１１８】
また、電源オン／オフ回路５６ｄにおいて、バイポーラトランジスタＱ３２に接続されたダイオードＤ３２に代えて抵抗器を用いてもよい。この場合においても上述の実施例と同様の効果を奏することができる。
【０１１９】
また、ラッチ回路５６ｃにおいて、保護信号出力回路５６ｂと接続されたＰチャンネル型電界効果トランジスタＱ２１に代えて、バイポーラトランジスタで構成してもよい。この際、意図しない電流がラッチ回路５６ｃに流れても、Ｎチャンネル型電界効果トランジスタＱ２２によって、電源オン／オフ回路５６ｄを動作させることがないため、スロットマシン１は、不正に照射された電波によるスピーカー保護回路５６の誤動作を防止することができる。
【０１２０】
この発明の構成と、上述の実施形態との対応において、
この発明のスピーカー保護手段は、実施形態のスピーカー保護回路５６に対応し、
以下同様に、
遊技機は、スロットマシン１に対応し、
異常検知信号は、ＤＣ検知回路５６ａから出力されるＨｉレベルの電圧信号に対応し、
異常検知回路は、ＤＣ検知回路５６ａに対応し、
保護信号は、保護信号出力回路５６ｂから出力されるＬｏレベルの電圧信号に対応し、
保護動作回路は、電源オン／オフ回路５６ｄに対応し、
保護信号出力用トランジスタは、Ｎチャンネル型電界効果トランジスタＱ１１に対応し、
保護信号出力用トランジスタの制御端子は、Ｎチャンネル型電界効果トランジスタＱ１１のゲートに対応し、
第１の抵抗器は、抵抗器Ｒ１１に対応し、
第２の抵抗器は、抵抗器Ｒ１２に対応し、
第２の抵抗器に対して並列接続されたコンデンサは、コンデンサＣ１１に対応し、
ラッチ回路における電圧駆動型トランジスタは、Ｐチャンネル型電界効果トランジスタＱ２１、及びＮチャンネル型電界効果トランジスタＱ２２に対応し、
保護動作用電界効果トランジスタは、Ｐチャンネル型電界効果トランジスタＱ３１に対応し、
電圧調整用ＲＣ回路は、抵抗器Ｒ３５、及びコンデンサＣ１１に対応するが、
この発明は、上述の実施形態の構成のみに限定されるものではなく、多くの実施の形態を得ることができる。
【産業上の利用可能性】
【０１２１】
本発明は、スロットマシンに限定せず、各種音声を出力するスピーカーと、スピーカー保護回路とを有する遊技機に適用することができる。
【符号の説明】
【０１２２】
１…スロットマシン
２０…スピーカー
５５…アンプ回路
５６…スピーカー保護回路
５６ａ…ＤＣ検知回路
５６ｂ…保護信号出力回路
５６ｃ…ラッチ回路
５６ｄ…電源オン／オフ回路
Ｑ１１…Ｎチャンネル型電界効果トランジスタ
Ｑ２１…Ｐチャンネル型電界効果トランジスタ
Ｑ２２…Ｎチャンネル型電界効果トランジスタ
【要約】
【課題】不正に照射された電波によるスピーカー保護回路５６の誤動作を防止することができるスロットマシン１を提供することを目的とする。
【解決手段】各種音声を出力するスピーカー２０と、スピーカー２０に接続されたアンプ回路５５と、スピーカー２０を保護するスピーカー保護回路５６とを備えたスロットマシン１であって、スピーカー保護回路５６に、アンプ回路５５から出力された電圧の異常を検知した場合、Ｈｉレベルの電圧信号を出力するＤＣ検知回路５６ａと、Ｈｉレベルの電圧信号が入力されると、Ｎチャンネル型電界効果トランジスタＱ１１がオン状態になることで、アンプ回路５５への電力供給を遮断するための保護信号を出力する保護信号出力回路５６ｂとを備えたことを特徴とする。
【選択図】図６【図１】
0005736493.tif 000002
【図２】
0005736493.tif 000003
【図３】
0005736493.tif 000004
【図４】
0005736493.tif 000005
【図５】
0005736493.tif 000006
【図６】
0005736493.tif 000007